(57)【要約】      （修正有）【課題】切断刃の交換を容易且つ確実に行い得るテープディスペンサーを提供する。【解決手段】テープディスペンサーは、テープが環状に巻回されてなるリフィルを保持するためのリールと、このリールを回転可能に保持する本体と、この本体に着脱可能に設けられテープを切断する刃部３とを具備してなるものであって、刃部が、テープを切断する切断縁３４を有した切断刃３３と、この切断刃を着脱可能に保持するカバー３１，３１と、切断刃をカバーに対して所定の位置及び方向でのみ装着させ得る向き決め機構３６，３７とを具備することを特徴とする。【選択図】図５
2015098379.tif 000002
【特許請求の範囲】
【請求項１】
テープが環状に巻回されてなるリフィルを保持するためのリールと、このリールを回転可能に保持する本体と、この本体に着脱可能に設けられ前記テープを切断する刃部とを具備してなるテープディスペンサーであって、
前記刃部が、前記テープを切断する切断縁を有した切断刃と、この切断刃を着脱可能に保持するカバーと、前記切断刃を前記カバーに対して所定の位置及び方向でのみ装着させ得る向き決め機構とを具備することを特徴とするテープディスペンサー。
【請求項２】
前記切断刃が厚み方向に非対称な形状をなしたものであり、前記向き決め機構が前記切断刃の表裏何れか一の向きでのみ前記カバーに装着させ得る請求項１記載のテープディスペンサー。
【請求項３】
前記向き決め機構が、前記切断刃の巾方向中央で前記カバーに係り合う中央部と、巾方向中央から互いに線対称ではない位置に設けられた複数の向き決め部とを有している請求項１又は２記載のテープディスペンサー。
【請求項４】
前記中央部及び前記向き決め部が前記切断刃に穿たれた孔である請求項３記載のテープディスペンサー。
【請求項５】
前記カバーが、前記切断刃を厚み方向に押圧し位置決めする刃押圧部を有している請求項１、２、３又は４記載のテープディスペンサー。
【発明の詳細な説明】
【技術分野】
【０００１】
本発明は、巻回された状態から繰り出されたテープを所望の長さに切断するためのテープディスペンサーに関するものである。
【背景技術】
【０００２】
従来、粘着テープやラップフィルム等の巻回されたテープを繰り出した状態で当該テープを所望の長さに切断するためのテープディスペンサーが種々提案されている。そして斯かるテープディスペンサーにおいては、切断刃を交換可能に構成することにより、継続した使用に際しても好適にテープを切断し得るようにしたものが提案されている(例えば、特許文献１及び特許文献２参照)。
【０００３】
しかしながら、このような切断刃が切断する対象であるテープの材質は、たとえばオフィスや家庭において好適に使用され得るテープディスペンサーに限定してもセロファンを主体としたテープのみならず、ポリプロピレン（ＰＰ）やポリエチレンテレフタレート（ＰＥＴ）など、種々の素材が適用されている。そして現状では、これらテープの素材によっては切断刃の交換を頻繁に求められる場合も考えられる。すなわち現状では、切断刃の交換を容易且つ確実に行い得る態様が求められている。
【先行技術文献】
【特許文献】
【０００４】
【特許文献１】実開昭５７−１４７８６３号公報
【特許文献２】実開昭５８−５４４４２号公報
【発明の概要】
【発明が解決しようとする課題】
【０００５】
本発明は、このような不具合に着目したものであり、切断刃の交換を容易且つ確実に行い得るテープディスペンサーを提供することを目的としている。
【課題を解決するための手段】
【０００６】
本発明は、このような目的を達成するために、次のような手段を講じたものである。
【０００７】
すなわち本発明に係るテープディスペンサーは、テープが環状に巻回されてなるリフィルを保持するためのリールと、このリールを回転可能に保持する本体と、この本体に着脱可能に設けられ前記テープを切断する刃部とを具備してなるテープディスペンサーであって、前記刃部が、前記テープを切断する切断縁を有した切断刃と、この切断刃を着脱可能に保持するカバーと、前記切断刃を前記カバーに対して所定の位置及び方向でのみ装着させ得る向き決め機構とを具備することを特徴とする。
【０００８】
このようなものであれば、切断刃の交換は、本体に取り付けた刃部を外した状態で行う事が出来る事に加え、向き決め機構により所定の向きに間違いなく切断刃を取り付けることができるので、切断刃の容易且つ正確な交換が可能となる。
【０００９】
特に上記構成は前記切断刃が厚み方向に非対称な形状をなしたものであっても、前記向き決め機構が前記切断刃の表裏何れか一の向きでのみ前記カバーに装着させ得るようにすることで、種々の態様をなす切断刃に対しても容易に適用し得る。
【００１０】
前記向き決め機構の具体的な態様としては、前記切断刃の巾方向中央で前記カバーに係り合う中央部と、巾方向中央から互いに線対称ではない位置に設けられた複数の向き決め部とを有している態様を挙げることができる。
【００１１】
そして簡素な構成で向き決め部を構成するためには、前記中央部及び前記向き決め部を前記切断刃に穿たれた孔としておくことが望ましい。
【００１２】
装着した切断刃のテープを切断する性能を簡単な構成により有効に担保するためには、前記カバーに、前記切断刃を厚み方向に押圧し位置決めする刃押圧部を設けるようにすればよい。
【発明の効果】
【００１３】
本発明によれば、切断刃の交換を容易且つ確実に行い得るテープディスペンサーを提供することができる。
【図面の簡単な説明】
【００１４】
【図１】本発明の一実施形態に係る斜視図。
【図２】同平面図。
【図３】同実施形態に係る要部の斜視図。
【図４】同平面図。
【図５】同実施形態に係る要部の構成説明図。
【図６】同他の構成説明図。
【図７】同実施形態に係る作用説明図。
【図８】同他の作用説明図。
【図９】同上。
【図１０】図２に係るＡ−Ａ線部分断面図。
【発明を実施するための形態】
【００１５】
以下、本発明の一実施の形態について図面を参照して説明する。
【００１６】
本実施形態に係るテープディスペンサーは、オフィスや店舗のレジや家庭などで好適に使用されるものである。またテープディスペンサーは、例えば基材としてセロファンや他の樹脂を用いた粘着テープ等のテープを紙製の芯材に巻回したリフィルＲＴ（図７）を保持し、テープを使用する際に所望の長さのみ引き出し、切断するためのものである。
【００１７】
このテープディスペンサーは、図１乃至図１０に示すように、テープが環状に巻回されてなるリフィルＲＴを保持するためのリール２と、このリール２を回転可能に保持する本体１と、この本体１に着脱可能に設けられ前記テープを切断する切断刃３３を有した刃部３とを具備してなる。
【００１８】
本体１は、リール２を保持するリール保持部１１と、着脱可能なカートリッジ状をなす刃部３を保持するための刃保持部１２とを有している。リール保持部１１は、リール２を回転可能に保持するための軸受け１４と、この軸受け１４へリール２を案内する案内部１３とを有している。刃保持部１２は、刃部３に対し巾方向両側で係り合うための爪受け１５と、巾方向に直交するテープの引き出し方向である前後方向から挟み込むための挟圧部１６とを有している。またこの挟圧部１６の後ろ側に位置する前向き面は、間接的に切断刃３３を押圧するための補助押圧面１７としている。
【００１９】
ここで、本実施形態に係るテープディスペンサーは、前記刃部３が、前記テープを切断する切断縁３４を有した切断刃３３と、この切断刃３３を着脱可能に保持するカバーたる外カバー３１及び内カバー３２と、前記切断刃３３を前記カバーに対して所定の位置及び方向でのみ装着させ得る向き決め機構たる中央穴３６及び向き決め穴３７とを具備することを特徴とするものである。
【００２０】
以下、本実施形態に係るテープディスペンサーにおける、リール２及び刃部３に関する構成について説明する。
【００２１】
リール２は、概略対照形状をなす例えば樹脂成形品である第一部材２ａと第二部材２ｂとを、これら第一部材２ａ及び第二部材２ｂ間に形成された係合部２ｃを介して形成されてなる。すなわちリール２は左右略対照形状をなしているので、本体１に対し何れの向きに取り付けても良い。そしてこの係合部２ｃは第一部材２ａ及び第二部材２ｂを接離可能に凹凸係合させてなるものであるが、当該係合部２ｃの具体的な形状については通常の構造をなすため詳細な説明を省略する。そしてこれら第一部材２ａ、第二部材２ｂ及び係合部２ｃによって形成されてなるリール２は、中心に位置付けられた回転軸２１と、この回転軸２１近傍に形成された内芯２２と、内芯２２の巾方向外側から放射状に３方向に立ち上がるアーム２３と、アーム２３の先端間に形成されリフィルＲＴを保持する芯たる外芯２４と、リフィルＲＴを巾方向に位置決めするための位置決め部２５とを有している。回転軸２１は、巾方向両側から円形状に突出する突起であり、本体１に装着される際には案内部１３に挿入し、軸受け１４まで例えば斜め下方向にスライドさせる。内芯２２は、径が小さい規格をなす他のリフィルを保持するためのものである。この内心に他のリフィルを保持させる際には一端第一部材２ａ及び第二部材２ｂの係合を解除し、これら第一部材２ａ及び第二部材２ｂが他のリフィルを挟み込むように装着する。この内芯２２は、他のリフィルに対し相対回動可能に保持するものである。そして他のリフィルから引き出されるテープはアーム２３間を通って刃部３に導くようにしている。この場合図示しないが、他のリフィルからテープを弾き出す際はリール２自体が若干他のリフィルと共に回動することによりテープがアーム２３に当接するが、テープは常に図示上方、すなわち粘着剤が塗布されていない面で当接してアーム２３に対して滑り動作を行う。それ故に円滑に他のリフィルからテープを引き出すことができ、安定してテープが繰り出される。アーム２３は、本実施形態では位置決め部２５を設ける数に応じて１２０°間隔で三箇所から立ち上がるようにしているが勿論、全周に亘って立ち上がる構造としたり、四箇所以上の箇所から放射状に立ち上がるようにしたりしても良い。外芯２４は、本実施形態では周方向に三箇所、等角度間隔で形成されてなる。この外芯２４は、リフィルＲＴの内側から圧接することにより保持するためのものであり、一の外芯２４あたり周方向に２つの押圧リブ２４ａを設けてなる。この押圧リブ２４ａは巾方向中央が最も隆起するよう湾曲したアール面２４ｂを有することにより、リフィルＲＴの装着をスムーズにさせ得る。
【００２２】
位置決め部２５は、前記各外芯２４毎に設けられている。すなわち位置決め部２５は、前記芯の周方向に等間隔に３つ設けられている。また位置決め部２５は、外芯２４の外縁に設けられ前記リフィルＲＴのうち、もっとも幅広な態様をなす例えば２４ｍｍ巾となるように設けられた幅広縁２７、この幅広縁２７から最も巾が狭いリフィルＲＴの巾寸法である１２ｍｍ巾の巾寸法を有する幅狭縁２６、及び前記幅広縁２７から前記幅狭縁２６までを接続する接続部２８を有している。接続部２８は、前記幅広縁２７及び前記幅狭縁２６との間を凹状に湾曲しながら連続して接続するテーパ形状をなす凹状縁２８ａと、この凹状縁２８ａに連続して部分球面状に凹ませて形成された指受け面２８ｂとを有している。
【００２３】
刃部３は、上縁をテープを切断するように切断縁３４として形成された切断刃３３と、この切断刃３３を着脱可能に保持するカバーたる外カバー３１及び内カバー３２とを有している。切断刃３３は、本実施形態では切断縁３４は例えば厚み方向に非対称な形状をなしたものである。詳述すると、切断縁３４はテープの先端側である外カバー３１側に０．２ｍｍだけ鋭利に突出させた断面形状を形成することにより、厚み方向に非対称な形状を実現している。これにより図示の通り、指先に刺激を与えるような鋭利な正面視形状を形成することを回避し安全性を確保しつつ確実なテープの切断を実現している。また切断刃３３は、図５及び図６に示すように、テープを切断する切断縁３４と、巾方向及び上下方向中央に位置付けられた中央部たる中央穴３６と、この中央穴３６から斜め方向に線対称ではなく点対称に複数すなわち２つ設けられた向き決め部たる向き決め穴３７と、切断縁３４に対向し巾方向を部分円状切り欠いた形状をなす下縁３５とを有している。なお本実施形態では下縁３５によってテープを切断し得ない態様としているが、同図に示すように下縁３５に代えて切断縁３４同様にテープを切断し得る下切断縁３４Ｕを形成した切断刃３３Ｗを適用してもよい。外カバー３１は、中央穴３６に嵌る中央凸部３１１と、向き決め穴３７に嵌る向き決め凸部３１２と、前記刃保持部１２の爪受け１５に係合する係合爪３１３と、内カバー３２に相対回転可能に係り得るピン受け３１４とを有している。内カバー３２は、切断刃３３を外カバー３１側へ付勢する、換言すれば切断刃３３を厚み方向に押圧する刃押圧部３２１と、刃保持部１２に装着した際に補助押圧面１７に押圧される被押圧面３２２と、切断縁３４近傍を押圧する上押圧面３２３と、外カバー３１のピン受け３１４に係合する係合ピン３２４とを有している。
【００２４】
しかして本実施形態では図７に示すように、リール２に位置決め部２５を設けることにより、前記外芯２４の両側に対称形状となるように設けることによりリフィルＲＴの巾寸法に拘わらず、前記位置決め部２５が前記リフィルＲＴの巾寸法中央と前記リール２の巾寸法中央とを位置決めする。通常リフィルＲＴは、同図中段に示すような巾寸法１５ｍｍの標準タイプ（Ｓ）の他、同図上段に示すような１２ｍｍ巾の巾狭タイプ（Ｎ）、同図下段に図示する２４ｍｍ巾の幅広タイプ（Ｗ）、及び図示しない１８ｍｍ巾のタイプのリフィルＲＴが、用途等により使い分け得るようになっている。本実施形態のリール２を用いれば、リフィルＲＴをリール２に装着する際は接続部２８に対し例えば手指により押圧することで、手指が手指が幅狭縁２６、幅広縁２７及び接続部２８の何れかにリフィルＲＴに触れながら当接することで、何れの巾寸法をなすリフィルＲＴも巾方向中心がリール２の巾方向中心に合致するようになる。またそのとき、接続部２８は湾曲形状に凹んだ形状をなす凹状縁２８ａ球面状に凹んだ指受け面２８ｂを有しているので、指に当接した感触も使用者に違和感を与えることがないので、使用者は快適にリフィルＲＴの取り付けを行い得る。
【００２５】
また本実施形態では、刃部３が、前記切断刃３３を前記カバーに対して所定の位置及び方向でのみ装着させ得る向き決め機構を具備するため、前記切断刃３３の表裏何れか一の向きでのみ間違うことなく前記外カバー３１、内カバー３２間に装着される。
【００２６】
ここで、切断刃３３が向きを間違えることなく且つがたつき無く確実に本体１側へ取り付けられる態様を図８〜図１０に示して説明する。
【００２７】
図８は切断刃３３を外カバー３１側に装着する前の状態を示している。外カバー３１及び内カバー３２は係合ピン３２４及びピン受け３１４を介して互いに回転可能に組み付けられている。ここで切断刃３３は、中央穴３６及び向き決め穴３７の位置が正しく中央凸部３１１及び向き決め凸部３１２の位置に合致しない限り外カバー３１側に取り付けることができない。つまり本実施形態では切断刃３３を表裏逆に間違えて組み付けようとした場合には向き決め凸部３１２の位置と向き決め穴３７の位置とが合致しないため、取り付けることができない。
【００２８】
図９は切断刃３３が外カバー３１側に正しく取り付けられた状態で内カバー３２及び外カバー３１により切断刃３３を挟持した状態を示している。このとき内カバー３２の刃押圧部３２１は押圧面３２１ａにより切断刃３３を厚み方向に弾性付勢する。これにて切断刃３３が装着された状態の刃部３では、切断刃３３が不意にぐらつく事がない。
【００２９】
図１０は刃部３を刃保持部１２に装着した状態を示している。このとき刃部３は爪受け１５と係合爪３１３との係り合いにより、切断刃３３の巾方向中心がリール２の巾方向中心に合致するように巾方向の位置決めがなされる。そして挟圧部１６によりテープの進行方向の位置決めも同時になされる。特に本実施形態では挟圧部１６の補助押圧面１７が内カバー３２の被押圧面３２２を押圧することにより上端部分すなわち切断縁３４近傍を上押圧面３２３により強く押圧するため、切断刃３３はテープを切断する際にテープの進行方向に一切がたつくことがなく、テープを切断しようとする操作力は無駄なくテープ側へ伝わり、スムーズなテープの切断が担保される。
【００３０】
以上のような構成とすることにより、本実施形態に係るテープディスペンサーは、切断刃３３の交換は、本体１に取り付けた刃部３を外した状態で行う事が出来る事に加え、向き決め機構により所定の向きに間違いなく切断刃３３を取り付けることができるので、切断刃３３の容易且つ正確な交換が可能となっている。
【００３１】
特に本実施形態では前記切断刃３３が厚み方向に非対称な形状をなしたものであるが、前記向き決め機構が前記切断刃３３の表裏何れか一の向きでのみ前記カバーに装着させ得るようにすることで、正確な切断刃３３の取り付けが実現されている。
【００３２】
前記向き決め機構の具体的な態様としては、前記切断刃３３の巾方向中央で前記カバーに係り合う中央部たる中央穴３６と、巾方向中央から互いに線対称ではない位置に設けられた複数の向き決め部たる向き決め穴３７とを設けることで、簡素な構成で切断刃３３の組み付けを実現している。
【００３３】
特に切断刃３３をシンプルな板状とした簡素な構成のままで向き決め機構実現するために本実施形態では、前記中央部及び前記向き決め部として前記切断刃３３に穿たれた孔、すなわち中央穴３６及び向き決め穴３７としている。
【００３４】
また、前記向き決め穴３７を前記中央穴３６の中心に対して点対称となる位置に設けることにより、使用者に対し切断刃３３の所定の向きを正しく認識され易くする態様を実現している。
【００３５】
また図５及び図６に示すように本実施形態では、テープを切断する切断縁３４は１箇所のみに設けた切断刃３３としても良いが、互いに対向する辺にそれぞれ前記切断縁３４及び下切断縁３４を設けておく切断刃３３Ｗを適用して、一枚の刃自体の使用し得る期間及び回数をより多くするようにしても良い。
【００３６】
装着した切断刃３３の性能を簡単な構成により有効に担保するために本実施形態では、前記内カバー３２に、前記切断刃３３を厚み方向に押圧し位置決めする刃押圧部３２１を設けるようにしている。そしてさらに切断刃３３の性能を担保すべく本実施形態では、前記本体１側にも、前記内カバー３２を介して間接的に前記切断刃３３を押圧し位置決めする補助押圧面１７を設けるようにしている。
【００３７】
以上、本発明の実施形態について説明したが、各部の具体的な構成は、上述した実施形態のみに限定されるものではなく、本発明の趣旨を逸脱しない範囲で種々変形が可能である。
【００３８】
例えば、上記実施形態では向き決め機構として切断刃に開口を穿つ態様を開示したが、勿論、プレスによる凹凸であったり、別異のものを接着する等により凹凸形状を形成したものであったりしてもよい。また切断縁やリールの具体的な態様は上記実施形態のものに限定されることはなく、既存のものを含め、種々の態様のものを適用することができる。
【００３９】
その他、各部の具体的構成についても上記実施形態に限られるものではなく、本発明の趣旨を逸脱しない範囲で種々変形が可能である。
【産業上の利用可能性】
【００４０】
本発明は巻回された状態から繰り出されたテープを所望の長さに切断するためのテープディスペンサーとして利用することができる。
【符号の説明】
【００４１】
１…本体
２…リール
３…刃部
３３…切断刃
３１…カバー（前カバー）
３２…カバー（後カバー）
３６…向き決め機構（中央穴）
３７…向き決め機構（向き決め穴）
【図１】
2015098379.tif 000003
【図２】
2015098379.tif 000004
【図３】
2015098379.tif 000005
【図４】
2015098379.tif 000006
【図５】
2015098379.tif 000007
【図６】
2015098379.tif 000008
【図７】
2015098379.tif 000009
【図８】
2015098379.tif 000010
【図９】
2015098379.tif 000011
【図１０】
2015098379.tif 000012